(57)【要約】【課題】前面部を開閉可能に被覆するフロントドアに遊技機内部に配置された駆動電源部を被覆するカバー部材が設けられた、新規の遊技機を提供する。【解決手段】上記遊技機の筐体の上方部にはリールユニットが配設されていると共に、下方部には遊技機の各駆動部に電源を供給しうる駆動電源部が配設されており、上記フロントドアは、遊技機の上下方向において分割形成され、上方ドアと、上記上方ドアとは独立して開閉可能に形成された下方ドアとを備え、上記上方ドアは、上記リールユニットを遮蔽可能に開閉されると共に、上記下方ドアは、上記駆動電源部を遮蔽可能に開閉されるように構成され、上記カバー部材は、上記下方ドアの裏面側に設けられ、上記下方ドアの閉時には、上記カバー部材が上記駆動電源部を前方側から被覆するように構成されている。【選択図】        図２
2004298231.tif 000002
【特許請求の範囲】
【請求項１】
遊技機の前面部を開閉可能に被覆するフロントドアを有する遊技機であって、上記フロントドアには遊技機の筐体内部に配置された駆動電源部を被覆するカバー部材が設けられていることを特徴とする遊技機。
【請求項２】
上記遊技機の筐体の上方部にはリールユニットが配設されていると共に、下方部には遊技機の各駆動部に電源を供給しうる駆動電源部が配設されており、
上記フロントドアは、遊技機の上下方向において分割形成され、上方ドアと、上記上方ドアとは独立して開閉可能に形成された下方ドアとを備え、
上記上方ドアは、上記リールユニットを遮蔽可能に開閉されると共に、上記下方ドアは、上記駆動電源部を遮蔽可能に開閉されるように構成され、
上記カバー部材は、上記下方ドアの裏面側に設けられ、上記下方ドアの閉時には、上記カバー部材が上記駆動電源部を前方側から被覆するように構成されていることを特徴とする請求項２記載の遊技機。
【請求項３】
上記下方ドアは、上記筐体の前後方向にスライド可能に配設されるフレーム部材の前面側に固定されると共に上記カバー部材は上記フレーム部材の背面側に設けられ、上記駆動電源部は上記筐体の底板部の側端部において側板に当接して配置され、上記カバー部材は、上記駆動電源部を被覆しうる前面被覆部、側面被覆部及び上面被覆部を有することを特徴とする請求項３記載の遊技機。
【発明の詳細な説明】
【０００１】
【発明の属する技術分野】
本発明は、スロットマシン遊技機等の遊技機に係り、特に、筐体内部に配置された駆動電源部を開閉可能に被覆した遊技機に関する。
【０００２】
【従来の技術】
一般に、スロットマシン等の遊技機は、リールユニットが筐体内部の上方部に配設されると共に、上記リールユニットの下方には、筐体の下端部に、駆動電源部及びメダルを収納すると共に排出するホッパーが配置されている。
【０００３】
このような従来の遊技機にあっては、近年、遊技機のプレーヤー等が、遊技中に筐体本体とフロントドア等との間のわずか隙間から、導電性の金属からなる針金等を筐体内に差込み、上記駆動電源部の電源端子に接触させて電気的にショートさせることにより、人為的にゲームにおける「大当たり」の状態を形成し、多くのメダルを払い出させる、といった不正な事態が発生する場合があった。
【０００４】
このような行為は、本来不正かつ違法なものであると共に、このような事態が頻発した場合には、ユーザー側としてのホールでは大きな金銭的な損害を蒙ることとなることから切実な問題となっていた。
【０００５】
【発明が解決しようとする課題】
そこで、本発明の課題は、遊技機における不正なメダルの払い出しを防止することにある。
【０００６】
【課題を解決するための手段】
前記課題を達成するために、本発明は以下の構成を有している。
【０００７】
即ち、本発明にあっては、遊技機の前面部を開閉可能に被覆するフロントドアを有する遊技機であって、上記フロントドアには遊技機の筐体内部に配置された駆動電源部を被覆するカバー部材が設けられていることを特徴とする。
【０００８】
その結果、本発明にあっては、フロントドアに設けられたカバー部材により上記駆動電源部は被覆されるため、外部から直接に上記駆動電源部へ直接に触れることはできなくなり、上記駆動電源部へ不正に接触する事態を防止することができる。
【０００９】
また、上記フロントドアの開閉に伴い、ドアの閉時には駆動電源部を被覆して駆動電源部を保護し、ドアの開時には駆動電源部を開放でき、必要な修理等の対応し得る遊技機を提供することができる。
【００１０】
また、本発明にあっては、上記遊技機の筐体の上方部にはリールユニットが配設されていると共に、下方部には遊技機の各駆動部に電源を供給しうる駆動電源部が配設されており、上記フロントドアは、遊技機の上下方向において分割形成され、上方ドアと、上記上方ドアとは独立して開閉可能に形成された下方ドアとを備え、上記上方ドアは、上記リールユニットを遮蔽可能に開閉されると共に、上記下方ドアは、上記駆動電源部を遮蔽可能に開閉されるように構成され、上記カバー部材は、上記下方ドアの裏面側に設けられ、上記下方ドアの閉時には、上記カバー部材が上記駆動電源部を前方側から被覆するように構成されていることを特徴とする。
【００１１】
従って、本発明にあっては、上記下方ドアを閉じた場合には、カバー部材が上記駆動電源部を被覆することから、外部から直接に上記駆動電源部へ直接に触れることはできなくなり、上記駆動電源部へ不正に接触する事態を防止することができる。
【００１２】
また、本発明にあっては、上記下方ドアは、上記筐体の前後方向にスライド可能に配設されるフレーム部材の前面側に固定されると共に上記カバー部材は上記フレーム部材の背面側に設けられ、上記駆動電源部は上記筐体の底板部の側端部において側板に当接して配置され、上記カバー部材は、上記駆動電源部を被覆しうる前面被覆部、側面被覆部及び上面被覆部を有することを特徴とする。
【００１３】
従って、本発明にあっては、上記下方ドアは筐体の前後方向にスライドさせることにより筐体の下方部を開閉させるものであることから、下方ドアの閉時には、前方側から上記駆動電源部をカバー部材が被覆する。
【００１４】
従って、下方ドアが筐体前後方向にスライドするように構成され、駆動電源部を被覆するカバー部材は、下方ドアの裏面側において所定位置に配置されていた場合には、筐体に対する前後方向の移動のみで、駆動電源部を被覆又は開放することができることから、筐体の左右いずれかの端部にヒンジが設けられ、フロントドアを回動させて開閉するように構成された一般の遊技機とは異なり、容易かつ確実に、ドア閉時には駆動電源部を覆い、ドア開時には駆動電源部を開放し、必要な場合には、駆動電源部の修理、部品交換等も容易に行うことができる遊技機を提供することができる。
【００１５】
さらに、本発明にあっては、駆動電源部は上記筐体の底板部の側端部において側板に当接して配置され、上記カバー部材の前面被覆部、側面被覆部及び上面被覆部が上記駆動電源部を被覆することから、上記駆動電源部は完全に周囲を被覆された状態となり、遊技機外方から駆動電源部への接触は略完全に防止される。
【００１６】
従って、非常に防犯効率の高い遊技機を提供することができる。
【００１７】
【発明の実施の形態】
以下、本発明の実施の形態に係る遊技機を添付図面に基づいて詳細に説明する。
【００１８】
図１乃至図３に示すように、本実施の形態に係る遊技機１にあっては、前面部を開閉可能に被覆するフロントドア２を有し、上記フロントドア２には遊技機１の筐体内部に配置された駆動電源部８を被覆するカバー部材１６が設けられている。
【００１９】
即ち、上記遊技機１の筐体３の上方部にはリールユニット６が配設されていると共に、下方部には遊技機１の各駆動部４２に電源を供給しうる駆動電源部８が配設されている。
【００２０】
上記フロントドア２は、遊技機１の上下方向において分割形成され、上方ドア４と、上記上方ドア４とは独立して開閉可能に形成された下方ドア５とを備え、上記上方ドア４は、上記リールユニット６を遮蔽可能に開閉されると共に、上記下方ドア５は、上記駆動電源部８を遮蔽可能に開閉されるように構成されている。
【００２１】
上記カバー部材１６は、上記下方ドア５の裏面側に設けられ、上記下方ドア５の閉時には、上記カバー部材１６が上記駆動電源部８を前方側から被覆するように構成されている。
【００２２】
また、上記下方ドア５は、上記筐体３の前後方向にスライド可能に配設されるフレーム部材１１の前面側に固定されると共に上記カバー部材１６は上記フレーム部材１１の背面側に設けられ、上記駆動電源部８は上記筐体３の底板部４４の側端部において側板４５に当接して配置され、上記カバー部材１６は、上記駆動電源部８を被覆しうる前面被覆部４６、側面被覆部４７及び上面被覆部４８を有する。
【００２３】
上記筐体３の内部における上方部にはリールユニット６が収納されている。このリールユニット６は、上記上方ドア４の裏側に配置されている。したがって、上記上方ドア４は上記リールユニット６を被覆していて、上記上方ドア４を開かない限り上記リールユニット６は視認不能である。
【００２４】
なお、上記リールユニット６は、３体のリール１３と、そのリール１３の回転等をゲームプログラムに従って制御管理するマイクロコンピュータを構成する主基板１４やサブ基板１５等を一体にしてユニット化した構成になっている。このマイクロコンピュータには制御主体であるＣＰＵ、プログラムや固定データを記憶するＲＯＭ、データの読み書きを行なうＲＡＭなどが搭載され、上記ＣＰＵには、乱数発生器等の所要の機器、乱数サンプリング回路を含む抽選回路等の所要の各種制御回路、及び各種センサなどが接続されている。なお、図は省略するが、リール１３を回転させるステッピングモータや、その駆動回路もリール１３に組み込まれている。
【００２５】
上記上方ドア４は上記筐体３に対し、その側辺部をヒンジ部３４を介して水平方向に回動自在に連結され、ドアのように開閉可能となっている。
【００２６】
また、上記筐体３の内部における下方部には、メダルを収納するホッパー７と、上記ホッパー７から溢れたメダルを受け入れる補助タンク９と、駆動電源部８が収納されている。すなわち、上記下方ドア５は、上記駆動電源部８、上記ホッパー７及び上記補助タンク９の前面側に配されていて、それらを被覆している。
【００２７】
なお、上記ホッパー７及び上記補助タンク９は、上記下方ドア５の裏面側に設けられたフレーム部１１に取り付けられている。また、上記下方ドア５の裏面側のフレーム部１１には、上記駆動電源部８を覆うカバー部材１６も取り付けられている。
【００２８】
上記下方ドア５を筐体３から前方へ引いて開放した場合には、上記ホッパー７、上記補助タンク９及び上記カバー部材１６が下方ドア５と共に上記筐体３の前面側に表出することができる。そして、上記カバー部材１６は上記駆動電源部８を覆った状態を解消して、上記駆動電源部８を露出させ、その駆動電源部８を操作することが可能となる。
【００２９】
上記下方ドア５を筐体３の方向へ復帰させると、上記ホッパー７、上記補助タンク９及び上記カバー部材１６が筐体３内へ収納され、上記カバー部材１６は再び上記駆動電源部８を覆うことができる。
【００３０】
上記下方ドア５は、上記筐体３に対し、その前後方向へスライド可能に組み付けられている。すなわち、上記筐体３には、図３に示すように、その左右両側辺部に前後方向に沿ってガイドレール１０が設置され、そのガイドレール１０を前後方向にスライド自在なスライダ１７が上記下方ドア５のフレーム部１１に取り付けられる。
【００３１】
また、上記上方ドア４には、図２および図３に示すように、上記下方ドア５及び上方ドア４が閉止状態の場合に上記下方ドア５に係止するストッパ部１２が設けられている。
【００３２】
このストッパ部１２は下方へ突出する爪状に形成されている。このストッパ部１２は、上記下方ドア５が閉じているときに、その下方ドア５に係止することにより、上記上方ドア４だけが単独で開くのを阻止することができる。
【００３３】
つまり、上記下方ドア５は、上記上方ドア４が閉止した状態で開くことができるが、上記上方ドア４は上記下方ドア５が閉じた状態では開くことができないように構成されている。
【００３４】
なお、上記下方ドア５の表面上端部は操作部１８となっていて、そこには操作ボタン１９、スタートレバー２０及びメダル投入部２１等が設けられている。また、上記下方ドア５の表面中央部には化粧パネル２２が設けられ、また、表面下端部にはメダル払出口２３、メダル受皿２４、灰皿２５、スピーカー２６等が設けられている。
【００３５】
また、図１に示すように、上記上方ドア４の表面中央部にはリール視認窓２７が設けられ、表面上端部には遊技者への各種情報やメッセージ等を表示するディスプレイ２８が設けられ、左右両側端部にはランプ群２９が設けられている。
【００３６】
なお、上記上方ドア４は、表面パネル３０、ベースパネル３１、ランプ取付パネル３２、ディスプレイカバー３３、ヒンジフレーム３５等の部品を組み付けて構成されている。
【００３７】
また、上記下方ドア５は、上記のホッパー７及び補助タンク９及びそれらを固定するフレーム部１１や化粧パネル２２の他に、上記の操作部１８を形成した操作パネル３７、灰皿２５付きパネル３８、メダル受皿２４付きパネル３９、メダル払出口２３付きパネル４０、キー・ユニット４１等を組み付けて構成されている。
【００３８】
【発明の効果】
請求項１記載の本発明の遊技機は、遊技機の前面部を開閉可能に被覆するフロントドアを有する遊技機であって、上記フロントドアには遊技機の筐体内部に配置された駆動電源部を被覆するカバー部材が設けられていることを特徴とするので、上記カバー部材により上記駆動電源部は被覆されるため、外部から直接に上記駆動電源部へ触れることはできなくなって、上記駆動電源部へ不正に接触する事態を防止することができ、また上記フロントドアの閉時には上記カバー部材が駆動電源部を被覆して当該駆動電源部を保護し、ドアの開時には駆動電源部を開放して必要な修理等に対応できる。
【００３９】
また、請求項２記載の本発明の遊技機にあっては、上記遊技機の筐体の上方部にはリールユニットが配設されていると共に、下方部には遊技機の各駆動部に電源を供給しうる駆動電源部が配設されており、上記フロントドアは、遊技機の上下方向において分割形成され、上方ドアと、上記上方ドアとは独立して開閉可能に形成された下方ドアとを備え、上記上方ドアは、上記リールユニットを遮蔽可能に開閉されると共に、上記下方ドアは、上記駆動電源部を遮蔽可能に開閉されるように構成され、上記カバー部材は、上記下方ドアの裏面側に設けられ、上記下方ドアの閉時には、上記カバー部材が上記駆動電源部を前方側から被覆するように構成されていることを特徴とするので、上記下方ドアを閉じた場合には、カバー部材が上記駆動電源部を被覆することから、外部から上記駆動電源部へ直接に触れることはできなくなり、上記駆動電源部へ不正に接触する事態を防止することができる。
【００４０】
また、請求項３記載の本発明の遊技機にあっては、上記下方ドアは、上記筐体の前後方向にスライド可能に配設されるフレーム部材の前面側に固定されると共に上記カバー部材は上記フレーム部材の背面側に設けられ、上記駆動電源部は上記筐体の底板部の側端部において側板に当接して配置され、上記カバー部材は、上記駆動電源部を被覆しうる前面被覆部、側面被覆部及び上面被覆部を有することを特徴とするので、上記カバー部材は、筐体に対する前後方向の移動のみで、駆動電源部を被覆又は開放することができることから、筐体の左右いずれかの端部にヒンジが設けられ、フロントドアを回動させて開閉するように構成された一般の遊技機とは異なり、容易かつ確実に、ドア閉時には駆動電源部を覆い、ドア開時には駆動電源部を開放し、必要な場合には、駆動電源部の修理、部品交換等が容易にできる。
【００４１】
さらに、本発明にあっては、駆動電源部は上記筐体の底板部の側端部において側板に当接して配置され、上記カバー部材の前面被覆部、側面被覆部及び上面被覆部が上記駆動電源部を被覆することから、上記駆動電源部は完全に周囲を被覆された状態となり、遊技機外方から駆動電源部への接触は略完全に防止され、非常に防犯効率の高い遊技機が提供できる。
【図面の簡単な説明】
【図１】本発明に係る遊技機のフロントドアの一実施の形態であって、全体の斜視図である。
【図２】本発明に係る遊技機のフロントドアの一実施の形態であって、縦断面図である。
【図３】本発明に係る遊技機のフロントドアの一実施の形態であって、上方ドアと下方ドアを筐体から分離した状態の斜視図である。
【図４】本発明に係る遊技機のフロントドアの一実施の形態であって、筐体の分解斜視図である。
【符号の説明】
１  遊技機
２  フロントドア
３  筐体
４  上方ドア
５  下方ドア
６  リールユニット
７  ホッパー
８  駆動電源部
９  補助タンク
１０  ガイドレール
１１  フレーム部
１２  ストッパ部
１３  リール
１４  主基板
１５  サブ基板
１６  カバー部材
１７  スライダ
１８  操作部
１９  操作ボタン
２０  スタートレバー
２１  メダル投入部
２２  化粧パネル
２３  メダル払出口
２４  メダル受皿
２５  灰皿
２６  スピーカー
２７  リール視認窓
２８  ディスプレイ
２９  ランプ群
３０  表面パネル
３１  ベースパネル
３２  ランプ取付パネル
３３  ディスプレイカバー
３４  ヒンジ部
３５  ヒンジフレーム
３７  操作パネル
３８  灰皿付きパネル
３９  メダル受皿付きパネル
４０  メダル払出口付きパネル
４１  キー・ユニット
４２  駆動部
４４  底板部
４５  側板
４６  前面被覆部
４７  側面被覆部
４８  上面被覆部
【図１】
2004298231.tif 000003
【図２】
2004298231.tif 000004
【図３】
2004298231.tif 000005
【図４】
2004298231.tif 000006